(57)【要約】【課題】利用者の嗜好に合わせたポータルサイト等の編集等が容易なシステムを提供する。【解決手段】コンテンツ選択機能を有する表示装置と、前記表示装置と通信可能なＩＣカードとからなり、コンテンツ選択機能により選択されたコンテンツを集計するコンテンツ集計機能と、コンテンツ集計機能によるコンテンツ集計結果を前記ＩＣカードに記憶する集計結果記憶機能と、コンテンツ集計結果記憶機能によりＩＣカードに記憶されたコンテンツ集計結果を通信により表示装置が受信するコンテンツ集計結果受信機能と、前記ＩＣカードから受信したコンテンツ集計結果を基にコンテンツ選択機能を編集し表示するコンテンツ選択機能編集表示機能を有するコンテンツ選択表示システムを提供する。【選択図】  図２
2011028692.tif 000002
【特許請求の範囲】
【請求項１】
コンテンツ選択機能を有する表示装置と、前記表示装置と通信可能なＩＣカードとからなり、
コンテンツ選択機能により選択されたコンテンツを集計するコンテンツ集計機能と、コンテンツ集計機能によるコンテンツ集計結果を前記ＩＣカードに記憶する集計結果記憶機能と、
コンテンツ集計結果記憶機能によりＩＣカードに記憶されたコンテンツ集計結果を通信により表示装置が受信するコンテンツ集計結果受信機能と、
前記ＩＣカードから受信したコンテンツ集計結果を基にコンテンツ選択機能を編集し表示するコンテンツ選択機能編集表示機能、
を有するコンテンツ選択表示システム。
【請求項２】
コンテンツ集計機能を表示装置に有し、コンテンツ集計結果を前記ＩＣカードに送信するコンテンツ集計結果送信機能を有する請求項１記載のコンテンツ選択表示システム。
【請求項３】
コンテンツ選択機能によるコンテンツ選択結果を前記ＩＣカードに送信するコンテンツ選択結果送信機能を表示装置が有し、コンテンツ集計機能を前記ＩＣカードに有する請求項１記載のコンテンツ選択表示システム。
【請求項４】
コンテンツ選択機能編集表示機能により表示されるコンテンツ選択機能表示が初期画面であることを特徴とする請求項１から３何れか記載のコンテンツ選択表示システム。
【請求項５】
コンテンツ選択機能に先立って前記表示装置と前記ＩＣカードとの相互認証を行うことを特徴とする請求項１から４何れか記載のコンテンツ選択表示システム。
【請求項６】
ＩＣカードが非接触ＩＣカードで、前記ＩＣカードと前記表示装置が非接触通信可能であることを特徴とする請求項１から５何れか記載のコンテンツ選択表示システム。
【請求項７】
ＩＣカードが接触ＩＣカードで、前記表示装置にＩＣカード挿入部を備え、ＩＣカードがＩＣカード挿入部に挿入されて前記ＩＣカードと前記表示装置が通信可能になることを特徴とする請求項１から５何れか記載のコンテンツ選択表示システム。
【請求項８】
コンテンツがＷＥＢコンテンツであり、コンテンツ選択機能がポータルサイトであることを特徴とする請求項１から７何れか記載のコンテンツ選択表示システム。
【請求項９】
コンテンツがテレビ番組であることを特徴とする請求項１から７何れか記載のコンテンツ選択表示システム。
【請求項１０】
ＩＣカードが地上デジタル視聴用カードであることを特徴とする請求項９記載のコンテンツ選択表示システム。
【発明の詳細な説明】
【技術分野】
【０００１】
本発明は、ＷＥＢコンテンツを表示するパソコン、携帯用コンテンツを表示する携帯電話、番組コンテンツを表示するテレビジョンなどのコンテンツ選択機能を有する表示装置と、ＩＣカードを利用した、利用者のコンテンツ選択を補助する機能を有するコンテンツ選択表示システムに係るものである。
【背景技術】
【０００２】
従来からＷＥＢコンテンツを表示するパソコン、携帯用コンテンツを表示する携帯電話、番組コンテンツを表示するテレビジョンなどのコンテンツ選択機能を有する表示装置は昔から存在していた。
【０００３】
ＷＥＢコンテンツを表示するパソコンを例にとれば、さらに、ＷＥＢコンテンツ選択機能を実現するために、ポータルサイト方式が採用され、このポータルサイトのデザインを利用者が利用しやすい様に編集する機能も公知である。例えば、Ｇｏｏｇｌｅ社のポータルサイトなどである。
【０００４】
他方、利用者の選択した商品選択情報などを基に、利用者が欲するであろう情報を提供し、ポータルサイトに表示する機能も公知である。例えば、Ｇｏｏｇｌｅ社のポータルサイトなどが存在する。例えば、Ａｍａｚｏｎ社のポータルサイトなどである。
【０００５】
加えて、表示上に利用者の利用状況を表示することを、パソコンにデスクトップウィジェットソフトウエアをインストールし常駐させることにより実現させるデスクトップウィジェット機能も、携帯電話各社や、他の企業により各種提供されている。
【０００６】
なお、特許文献１では、嗜好情報として携帯端末装置に蓄積される情報（ダウンロードした着信メロディやメールの着信回数など）を用いることにより、ユーザの嗜好を示す入力を省略してユーザの手間を大幅に軽減し、ユーザの嗜好に適した情報を自動的にダウンロードすることができるユーザ嗜好収集システムが開示されている。
【０００７】
特許文献２では、広告記憶手段と、広告に対する各前記利用者の評価の情報が蓄積される評価情報蓄積手段と、広告記憶手段に記憶された広告の中から、発信者の端末に送信する広告を選択する広告選択手段と、広告選択手段によって選択された広告を、電話の呼出中において発信者の端末に送信する広告送信手段と、広告送信手段による広告の送信後に行われた発信者の端末の操作に基づいて、発信者における発信者の評価の情報の組合せとの類似度に基づいて、発信者に送信する広告を選択することを特徴とする広告配信システムが開示されている。
【０００８】
特許文献３では、広告記憶手段と、広告に対する各前記利用者の評価の情報が蓄積される評価情報蓄積手段と、広告記憶手段に記憶された広告の中から、発信者の端末に送信する広告を選択する広告選択手段と、広告選択手段によって選択された広告を、電話の呼出中において発信者の端末に送信する広告送信手段と、広告送信手段による広告の送信後に行われた発信者の端末の操作に基づいて、発信者における発信者の評価の情報の組合せとの類似度に基づいて、発信者に送信する広告を選択することを特徴とする広告配信システムが開示されている。
【先行技術文献】
【特許文献】
【０００９】
【特許文献１】特開２００８−２６９３８２号公報
【特許文献２】特開２００７−２７４４６８号公報
【特許文献３】特開２００３−１４１１４７号公報
【発明の概要】
【発明が解決しようとする課題】
【００１０】
しかし、以上の様なサービスや上記特許文献１から３記載の発明では、利用者の嗜好に合わせてポータルサイト等の表示のデザインを利用者自身が編集することは公知といえるが、その様な、利用者の嗜好に合わせたポータルサイト等の表示のデザインの編集は表示装置単位で行われるものであり、個々の利用者単位でその利用者の嗜好に合わせたポータルサイト等の表示のデザインの編集を行うには、毎回その利用者の認証のためにログイン等の操作が必要であった。
【００１１】
この様な面倒な操作を無くす方法として、利用者の嗜好やそのコンテンツ選択の傾向を予め入力する方法も可能であるが、それもまた利用者自身がその嗜好やそのコンテンツ選択の傾向を入力する必要があり、結局面倒であることに変わりがなかっただけでなく、利用者自身がその嗜好やそのコンテンツ選択の傾向に変更があった場合には、その変更ごとに修正もしくは再入力が必要であり、実用性に劣っていた。
【００１２】
さらに、利用者の商品選考傾向などの嗜好に合わせたポータルサイト等の表示のデザインの編集が行われる場合もあったが、その様な利用者の商品選考傾向などの嗜好の集計には個々の商品やサービス単位、もしくはそのポータルサイト等の企業単位で行われていたものであり、その枠を超えて別の商品やサービス単位、もしくはそのポータルサイト等の企業単位を超えて集計等をするには個人情報管理の関係からも困難であった。
【課題を解決するための手段】
【００１３】
本発明で、前記課題を解決するため、まず、請求項１では、コンテンツ選択機能を有する表示装置と、前記表示装置と通信可能なＩＣカードとからなり、
コンテンツ選択機能により選択されたコンテンツを集計するコンテンツ集計機能と、コンテンツ集計機能によるコンテンツ集計結果を前記ＩＣカードに記憶する集計結果記憶機能と、
コンテンツ集計結果記憶機能によりＩＣカードに記憶されたコンテンツ集計結果を通信により表示装置が受信するコンテンツ集計結果受信機能と、
前記ＩＣカードから受信したコンテンツ集計結果を基にコンテンツ選択機能を編集し表示するコンテンツ選択機能編集表示機能、
を有するコンテンツ選択表示システムを提供するものである。
【００１４】
また、請求項２では、コンテンツ集計機能を表示装置に有し、コンテンツ集計結果を前記ＩＣカードに送信するコンテンツ集計結果送信機能を有する請求項１記載のコンテンツ選択表示システムを提供するものである。
【００１５】
また、請求項３では、コンテンツ選択機能によるコンテンツ選択結果を前記ＩＣカードに送信するコンテンツ選択結果送信機能を表示装置が有し、コンテンツ集計機能を前記ＩＣカードに有する請求項１記載のコンテンツ選択表示システムを提供するものである。
【００１６】
また、請求項４では、コンテンツ選択機能編集表示機能により表示されるコンテンツ選択機能表示が初期画面であることを特徴とする請求項１から３何れか記載のコンテンツ選択表示システム。
【００１７】
また、請求項５では、コンテンツ選択機能に先立って前記表示装置と前記ＩＣカードと
の相互認証を行うことを特徴とする請求項１から４何れか記載のコンテンツ選択表示システムを提供するものである。
【００１８】
また、請求項６では、ＩＣカードが非接触ＩＣカードで、前記ＩＣカードと前記表示装置が非接触通信可能であることを特徴とする請求項１から５何れか記載のコンテンツ選択表示システムを提供するものである。
【００１９】
また、請求項７では、ＩＣカードが接触ＩＣカードで、前記表示装置にＩＣカード挿入部を備え、ＩＣカードがＩＣカード挿入部に挿入されて前記ＩＣカードと前記表示装置が通信可能になることを特徴とする請求項１から５何れか記載のコンテンツ選択表示システムを提供するものである。
【００２０】
また、請求項８では、コンテンツがＷＥＢコンテンツであり、コンテンツ選択機能がポータルサイトであることを特徴とする請求項１から７何れか記載のコンテンツ選択表示システムを提供するものである。
【００２１】
また、請求項９では、コンテンツがテレビ番組であることを特徴とする請求項１から７何れか記載のコンテンツ選択表示システムを提供するものである。
【００２２】
また、請求項１０では、ＩＣカードが地上デジタル視聴用カードであることを特徴とする請求項９記載のコンテンツ選択表示システムを提供するものである。
【発明の効果】
【００２３】
本発明により、請求項１に係る発明では、利用者の嗜好に合わせてポータルサイト等の表示のデザインを利用者自身が直接関与することなく利用者単位に編集できるものであり、そのための利用者の認証のためにログイン等の操作や、利用者の嗜好やそのコンテンツ選択の傾向を予め入力する必要がなく、自動的に、しかも定期的もしくは常時更新できるものであった。
【００２４】
さらに、利用者の嗜好の集計には個々の商品やサービス単位、もしくはそのポータルサイト等の企業単位で行われていたものであり、その枠を超えて別の商品やサービス単位、もしくはそのポータルサイト等の企業単位を超えて集計等をするにもかかわらず、個人情報を送信する必要がなくなり、個人情報管理の点の問題点もなくなった。
【００２５】
本発明により、請求項２に係る発明では、コンテンツ集計機能を表示装置に有しているために、データ処理能力の劣るＩＣカードでのコンテンツ集計操作を不用とすることができ、容易にシステムを組むことが可能になったものである。
【００２６】
本発明により、請求項３に係る発明では、コンテンツ集計機能をＩＣカードに有しているために、ＩＣカードで統一してのコンテンツ集計操作を可能にし、また、コンテンツ集計が利用者のＩＣカードで行い、表示装置では行わないので、セキュリティ上でも好ましいシステムを組むことが可能になったものである。
【００２７】
本発明により、請求項４に係る発明では、初期画面から利用者の嗜好に合わせたコンテンツ選択機能を発揮でき、利用者の嗜好を簡便に実現することが可能になったものである。
【００２８】
本発明により、請求項５に係る発明では、利用者の確認を完全に行うことが、利用者の利便性を失うことなく実現でき、しかも個人情報の不要な漏洩防止に役立つことが可能になったものである。
【００２９】
本発明により、請求項６に係る発明では、表示装置にＩＣカードをセットする面倒な行為をする必要がなく、いちいち利用者が表示装置とＩＣカードが通信することを気に掛けることなく利用者の嗜好に合わせてコンテンツ選択機能を実現できることが可能になったものである。
【００３０】
本発明により、請求項７に係る発明では、外部に通信が漏洩することがなくなり、個人情報の不要な漏洩防止に役立つことが可能になったものである。
【００３１】
本発明により、請求項８に係る発明では、ＷＥＢコンテンツの利用者の嗜好に合わせてポータルサイト等の表示のデザインを利用者自身が直接関与することなく利用者単位に編集できる様になったものであり、ＷＥＢサイトでそのポータルサイト等の企業単位を超えて集計等をするにもかかわらず、個人情報を送信する必要がなくなり、個人情報管理の点の問題点もなくなった。
【００３２】
本発明により、請求項９に係る発明では、利用者の嗜好に合わせてテレビ番組等の表示のデザインを利用者自身が直接関与することなく利用者単位に編集できる様になったものであり、利用者の嗜好に合わせた番組構成になる番組表を提供することが可能になったものである。
【００３３】
本発明により、請求項１０に係る発明では、地上デジタル放送による視聴制限と利用者の嗜好の両方に合わせてテレビ番組等の表示のデザインを利用者自身が直接関与することなく利用者単位に編集できる様になったものであり、利用者の嗜好に合わせた番組構成になる番組表を提供することが可能になったとともに、ＩＣカードをＩＣカードを利用者ごとに割り当てることにより利用者単位で統一的に管理することが可能になった。
【図面の簡単な説明】
【００３４】
【図１】本発明の発明の実施をするための形態に係るコンテンツ選択表示システムの一実施の形態の構成図である。
【図２】図１の実施の形態のパソコンの動作のフローチャートである。
【図３】図１の実施の形態のＨＴＭＬ文更新の動作のフローチャートである。
【図４】本発明の発明の実施をするための形態に係るコンテンツ選択表示システムの図１の実施の形態とは異なる一実施の形態の構成図である。
【図５】図４の実施の形態のデジタルテレビの動作のフローチャートである。
【図６】図４の実施の形態の番組視聴集計の動作のフローチャートである。
【図７】本発明の発明の実施をするための形態に係るコンテンツ選択表示システムの図１や図４の実施の形態とは異なる一実施の形態の動作のフローチャートである。
【発明を実施するための形態】
【００３５】
＜実施形態１＞
次に、図１は本発明の発明の実施をするための形態に係るコンテンツ選択表示システムの構成図の一例である。
【００３６】
以下の実施の形態では、コンテンツ選択機能を有する表示装置としてパソコンの場合、ＩＣカードとしてパソコンのスロット挿入用カードである場合で説明するが、コンテンツの種類、表示装置の種類、ＩＣカードの種類等は適宜選択可能である。
【００３７】
パソコンには、表示部分としてディスプレイ１０３と、パソコン本体１０１にＩＣカードスロット１０２が設けられている他、キーボード１０４、マウス１０５等から構成されている。他方、ＩＣカードは、汎用ＩＣスロットカード１１１であり、ポータルサイトＨ
ＴＭＬ文が記憶されているものである。また、パソコン本体１０１は、インターネットに接続し、各種インターネットサイト等を表示可能である。
【００３８】
ここで、コンテンツ選択機能として、キーボード１０４によりＵＲＬを入力するか、ディスプレイ１０３で表示されるコンテンツの選択表示に基づいて、マウス１０５により各種ポータルサイト等からインターネットサイトを選択することにより行う。
【００３９】
次に、この様なパソコンの動作について図２を用いて説明する。パソコン本体１０１の電源を入れることによりこのシステムが開始２０１される。
【００４０】
次に、パソコン本体１０１ではそのＩＣカードスロットに汎用ＩＣスロットカード１１１が挿入されたかの判断２０２を行い、挿入されていない場合は、電源が入っている限り汎用ＩＣスロットカード１１１が挿入されたかの判断２０２を行い続ける。
【００４１】
次に、汎用ＩＣスロットカード１１１が挿入されたと判断２０２された場合、パソコン本体１０１ではそのＩＣカードスロットを通じて汎用ＩＣスロットカード１１１との相互承認、すなわち、パソコン本体１０１が汎用ＩＣスロットカード１１１を正当なものであるとの認証と、汎用ＩＣスロットカード１１１がパソコン本体１０１を正当なものであるとの認証の両方の認証を行う。その一方の認証しか行えないとか、両方の認証が行えない場合、すなわち、相互認証に失敗した場合は、汎用ＩＣスロットカード１１１の入れ替えや再認証により相互認証が成功する場合もあるので、つまりＩＣカードスロットに汎用ＩＣスロットカード１１１が挿入されている限り汎用ＩＣスロットカード１１１が挿入されたかの判断２０３を行い続ける。
【００４２】
次に、パソコン本体１０１が汎用ＩＣスロットカード１１１を正当なものであるとの認証と、汎用ＩＣスロットカード１１１がパソコン本体１０１を正当なものであるとの認証の両方の認証に成功した場合、すなわち、相互認証に成功した場合、パソコン本体１０１が汎用ＩＣスロットカード１１１からポータルサイトＨＴＭＬ文を取得２０４する。
【００４３】
次に、パソコン本体１０１の新たなインターネットサイトアクセスにより呼び出したポータルサイトＨＴＭＬ文を元に新たなポータルサイトＨＴＭＬ文にデータ更新２０５する。この更新結果である新たなポータルサイトＨＴＭＬ文を汎用ＩＣスロットカード１１１に送信し、汎用ＩＣスロットカード１１１内のポータルサイトＨＴＭＬ文も更新する。
【００４４】
この様に更新されたポータルサイトＨＴＭＬ文を用いて、パソコン本体１０１はそのインターネットサイトアクセス傾向に対応したポータルサイトＨＴＭＬ文をブラウザでディスプレイ１０２上に表示２０６する。
【００４５】
これで本システムの処理が終了２０７する。
【００４６】
このようなポータルサイトＨＴＭＬ文更新について図３に基づき以下説明すれば、まず、インターネットサイトアクセスごとに処理が開始３０１される。次に、インターネットサイトアクセスごとに処理が行われるわけではなく、一定の変数Ｘを設定３０２しておき、要素を取得３０３する。この要素を汎用ＩＣスロットカード１１１内に保存３０４する。その結果、要素数が変数Ｘより大か否かを判断３０５し、大でなければ設定３０２状態に戻る。
【００４７】
他方、要素数が変数Ｘより大か否かを判断３０５し、大であった場合は、従来のポータルサイトＨＴＭＬ文のインターネットサイトアクセス傾向と、新たなＸ回内のインターネットサイトアクセス傾向を加味した上で、ユーザーの嗜好を分析３０６する。
【００４８】
この様に分析３０６された結果をもとに、インターネットサイトアクセスの頻度に応じてサイトの選択が容易になる様にポータルサイトＨＴＭＬ文を更新し、汎用ＩＣスロットカード１１１内に保存３０７し終了３０８する。
【００４９】
例えば、ポータルサイトＨＴＭＬ文を用いてブラウザで表示させた場合、アクセス頻度が高い分野やサイトほど上位に表示する様にしたり、アクセス頻度が高い分野やサイトを色や文字種、文字の大きさなどで強調表示したり、アクセス頻度が高い分野については、さらに細かい分類表示をしたり、アクセス頻度が低い分野についてはメインポータルサイトの表示からは外し、メインポータルサイトから２次ポータルサイトを選択したのち、２次ポータルサイトで選択できる様に、アクセス頻度によりどの階層のポータルサイトで表示するかやその表示位置、表示方法を制御するものである。
【００５０】
＜実施形態２＞
次に、図４は本発明の発明の実施をするための形態に係るコンテンツ選択表示システムの構成図の別な一例である。
【００５１】
以下の実施の形態では、コンテンツ選択機能を有する表示装置としてデジタルテレビの場合、ＩＣカードとして地上デジタル視聴用カードである場合で説明するが、コンテンツの種類、表示装置の種類、ＩＣカードの種類等は適宜選択可能である。
【００５２】
デジタルテレビ４０１には、表示部分として画面４０２とＩＣカードスロット（図示せず）、の他、リモコン装置（図示せず）等から構成されている。他方、ＩＣカードは、地上デジタル視聴用カード４１１であり、地上デジタル視聴のための利用者情報等が記憶されているものであり、地上デジタル視聴用カード４１１がデジタルテレビ４０１のＩＣカードスロットに挿入されなければ地上デジタル番組の視聴ができない構成となっている。本実施の形態では、以上のような地上デジタル視聴用カード４１１の通常の機能の他、コンテンツ集計結果受信機能を持つ。また、コンテンツ選択機能に相当するチャンネル選択機能はリモコン装置により実現している。なお、コンテンツ集計機能に相当する番組視聴集計機能、コンテンツ選択機能編集表示機能に相当する番組表表示機能はデジタルテレビ４０１本体に備わっている。また、コンテンツ集計結果受信機能に相当する番組視聴集計受信機能とコンテンツ集計結果送信機能に相当する番組視聴集計送信機能もデジタルテレビ４０１本体に備わっており、ＩＣカードスロットを介して地上デジタル視聴用カード４１１と通信できる様になっている。
【００５３】
次に、この様なデジタルテレビ４０１の動作について図５を用いて説明する。デジタルテレビ４０１のリモコン装置を用いてデジタルテレビ４０１の電源を入れることによりこのシステムが開始５０１される。
【００５４】
次に、デジタルテレビ４０１ではそのＩＣカードスロットに地上デジタル視聴用カード４１１が挿入されたかの判断５０２を行い、挿入されていない場合は、このデジタルテレビ４０１が使用されている、つまり電源が入っている限り地上デジタル視聴用カード４１１が挿入されたかの判断５０２を行い続ける。当然、地上デジタル視聴用カード４１１が挿入されていなければ地上デジタル番組の視聴はできないが、その他の操作、例えばＤＶＤプレイヤーの操作等は可能なことは当然である。
【００５５】
次に、地上デジタル視聴用カード４１１が挿入されたと判断５０２された場合、デジタルテレビ４０１ではそのＩＣカードスロットを通じて地上デジタル視聴用カード４１１との相互承認、すなわち、デジタルテレビ４０１が地上デジタル視聴用カード４１１を正当なものであるとの認証と、地上デジタル視聴用カード４１１がデジタルテレビ４０１を正
当なものであるとの認証の両方の認証を行う。その一方の認証しか行えないとか、両方の認証が行えない場合、すなわち、相互認証に失敗した場合は、地上デジタル視聴用カード４１１の入れ替えや再認証により相互認証が成功する場合もあるので、つまりＩＣカードスロットに地上デジタル視聴用カード４１１が挿入されている限り地上デジタル視聴用カード１１１が挿入されたかの判断５０３を行い続ける。
【００５６】
次に、デジタルテレビ４０１が地上デジタル視聴用カード４１１を正当なものであるとの認証と、地上デジタル視聴用カード４１１がデジタルテレビ４０１を正当なものであるとの認証の両方の認証に成功した場合、すなわち、相互認証に成功した場合、デジタルテレビ４０１が地上デジタル視聴用カード４１１から番組視聴集計受信結果を取得５０４する。
【００５７】
次に、デジタルテレビ４０１の新たな視聴した番組の情報により番組視聴集計受信結果を最新の番組視聴集計受信結果にデータ更新５０５する。この更新結果である新たな番組視聴集計受信結果を地上デジタル視聴用カード４１１に送信し、地上デジタル視聴用カード４１１内の番組視聴集計受信結果も更新する。
【００５８】
この様に更新された番組視聴集計受信結果を用いて、デジタルテレビ４０１はその視聴傾向に対応した独自の番組表を編集した上で、画面４０２に表示５０６する。
【００５９】
これで本システムの処理が終了５０７する。
【００６０】
このような番組視聴集計について図６に基づき以下説明すれば、まず、番組視聴ごとに処理が開始６０１される。
【００６１】
次に、番組視聴ごとに処理が行われるわけではなく、一定の変数Ｘを設定６０２しておき、要素すなわち番組視聴情報を取得６０３する。この要素を地上デジタル視聴用カード４１１内に保存６０４する。その結果、要素数が変数Ｘより大か否かを判断６０５し、大でなければ設定６０２状態に戻る。
【００６２】
他方、要素数が変数Ｘより大か否かを判断６０５し、大であった場合は、従来の番組視聴傾向と、新たなＸ回内の番組視聴の要素を加味した上で、ユーザーの嗜好を分析３０６する。
【００６３】
この様に分析３０６された結果をもとに、番組視聴動向に応じて番組の選択が容易になる様に番組表を更新し、地上デジタル視聴用カード４１１内に保存３０７し終了３０８する。
【００６４】
この場合、番組視聴ごとに番組視聴集計が行われるわけではなく、一定の変数Ｘを設定しておき、表１の様なマスタテーブルと、表２のようなマスタテーブルと表３、表４、表５の様な個別ＩＤ定義用テーブルが用意され、全体としてリレーショナルデータベースを構成している。
【００６５】
具体的に変更されるテーブルは表１のマスタテーブルと、表２のマスタテーブルで、表３、表４、表５の様な個別ＩＤ定義用テーブルは追加変更の対象外である。
【００６６】
この様な重み付けの結果、従来の視聴傾向と、新たなＸ回内の視聴集計を加味した上で、番組の選択が容易になる様に番組視聴集計を更新する。そして、この番組視聴集計に基づいて、この視聴傾向と合致する様に番組表を構成して表示する。
【００６７】
例えば、視聴頻度が高いチャンネルや視聴頻度が高いジャンルの番組ほど目立つ位置の表示する様にしたり、視聴頻度が高いジャンルの番組を色や文字種、文字の大きさなどで強調表示したり、視聴頻度が高い分野については、さらに細かい番組解説をしたり、アクセス頻度が低い分野については番組表の表示からは外し、拡大表示を選択したのち初めて選択できる様に、視聴頻度によりどの階層で表示するかやその表示位置、表示方法を制御するものである。
【００６８】
＜実施形態３＞
次に、図７は本発明の発明の実施をするための形態に係るコンテンツ選択表示システムの動作の別な一例である。
【００６９】
以下の実施の形態では、コンテンツ選択機能を有する表示装置としてデジタルテレビ、パソコン、携帯電話などの多くの情報機器に共通して使用する場合である。ＩＣカードとして地上デジタル視聴用カードの機能を持つ複合機能ＩＣカードである場合で説明するが、コンテンツの種類、表示装置の種類、ＩＣカードの種類等は適宜選択可能である。
【００７０】
まず、情報機器のＩＣスロットにＩＣカードが挿入されて、処理を開始７０１する。
【００７１】
次に、情報機器はＩＣカード内の嗜好情報を読み出し表示７０２する。
【００７２】
この嗜好情報から、情報機器を操作して優先ジャンルを選定７０３する。
【００７３】
この、選定されたジャンルについて、表示すべき情報を決定７０４する。この場合、選定されたジャンルは一つのジャンルでも複数のジャンルでも構わず、複数のジャンルの場合、その優先度に差を設けても構わない。
【００７４】
次に、この情報機器は、ＩＣカードとアクセスして、ＨＴＭＬ文が記憶されているかの判断７０５を行う。
【００７５】
ここで、上記判断７０５でＨＴＭＬ文が記憶されている場合は、そのＨＴＭＬ文をダウンロードし、ダウンロードしたＨＴＭＬ文に選択されたジャンルを加味して、新たなＨＴＭＬ文を作成７０６する。
【００７６】
他方、上記判断７０５でＨＴＭＬ文が記憶されていない場合は、選択されたジャンルのみによって、新たなＨＴＭＬ文を作成７０７する。
【００７７】
上記新たに作成７０６、７０７されたＨＴＭＬ文をＩＣカード内に保存７０８し、処理を終了７０９する。
【００７８】
なお、上記の場合、ＨＴＭＬ文形式で記憶されているが、パソコン以外の情報機器で表示する場合は、番組表形式に変換する等の、各情報機器の個別対応が必要な場合があっても構わない。
【００７９】
この場合の嗜好情報は、各種の形式が可能であるが、入力キーワード、利用機能、利用時間、テレビ機能やワンセグ機能を利用した場合には視聴番組、ＷＥＢの閲覧履歴など多様な情報を一括して取得するもので、例えば、各情報機器には嗜好情報取得用の専用アプリケーションが組み込まれ、自動収集できる仕組みとなっている。この様に自動収集された嗜好情報は、一日単位や一定時間、もしくは一定回数毎にＩＣカードにそのまま送信されるか、加工されて送信される。
【００８０】
例えば、表６、表７、表８の様なマスタテーブルと、表９、表１０、表１１、表１２の様な個別ＩＤ定義用テーブルが用意され、全体としてリレーショナルデータベースを構成している。
【００８１】
表は以下の通り。
【００８２】
【表１】
2011028692.tif 000003
【００８３】
【表２】
2011028692.tif 000004
【００８４】
【表３】
2011028692.tif 000005
【００８５】
【表４】
2011028692.tif 000006
【００８６】
【表５】
2011028692.tif 000007
【００８７】
【表６】
2011028692.tif 000008
【００８８】
【表７】
2011028692.tif 000009
【００８９】
【表８】
2011028692.tif 000010
【００９０】
【表９】
2011028692.tif 000011
【００９１】
【表１０】
2011028692.tif 000012
【００９２】
【表１１】
2011028692.tif 000013
【００９３】
【表１２】
2011028692.tif 000014
【符号の説明】
【００９４】
１０１  パソコン本体
１０２  ＩＣカードスロット
１０３  ディスプレイ
１０４  キーボード
１０５  マウス
１１１  汎用ＩＣスロットカード
２０１  開始
２０２  判断
２０３  判断
２０４  取得
２０５  データ更新
２０６  表示
２０７  終了
３０１  開始
３０２  変数Ｘ設定
３０３  要素取得
３０４  要素保存
３０５  判断
３０６  分析
３０７  保存
３０８  終了
４０１  デジタルテレビ
４０２  画面
４１１  地上デジタル視聴用カード
５０１  開始
５０２  判断
５０３  判断
５０４  取得
５０５  データ更新
５０６  表示
５０７  終了
６０１  開始
６０２  変数Ｘ設定
６０３  要素取得
６０４  要素保存
６０５  判断
６０６  分析
６０７  保存
６０８  終了
７０１  開始
７０２  表示
７０３  優先ジャンル選定
７０４  決定
７０５  判断
７０６  ＨＴＭＬ文作成
７０７  ＨＴＭＬ文作成
７０８  保存
７０９  終了
【図１】
2011028692.tif 000015
【図２】
2011028692.tif 000016
【図３】
2011028692.tif 000017
【図４】
2011028692.tif 000018
【図５】
2011028692.tif 000019
【図６】
2011028692.tif 000020
【図７】
2011028692.tif 000021